(57)【要約】【課題】電源をＯＮしたときのみしか視聴傾向にあるお勧めの番組について複数のチャンネルの映像を初期画面として視聴することができるが、その番組の情報について簡単操作で見ることができない、また、これから先に放送されるお勧め番組の情報については入手できないという課題を有していた。【解決手段】本発明の映像受信装置は、番組付加情報を蓄積可能な映像受信装置において、ユーザー毎の視聴履歴や好んで視聴する傾向のある番組等の視聴情報を基に番組推薦処理を行い、お勧め番組を提供する機能を備え、ユーザーが電源を投入したとき一早く現在放送中の番組のみならず先に放送される番組情報も含むお勧め番組情報一覧をユーザーに提供する機能を実現する。【選択図】図１
2006041668.tif 000002
【特許請求の範囲】
【請求項１】
番組付加情報を蓄積可能な映像受信装置において、ユーザー毎の視聴履歴や好んで視聴する傾向のある番組等の視聴情報を基に番組推薦処理を行い、お勧め番組を提供する機能を備え、ユーザーが電源を投入したとき一早く現在放送中の番組のみならず先に放送される番組情報も含むお勧め番組情報一覧をユーザーに提供する機能を備えた映像受信装置。
【請求項２】
請求項１記載の映像受信装置において、ユーザーを判別し、電源をオフ時に電源を投入してから視聴した番組履歴の一覧を表示し、その中からユーザーが視聴した番組や趣向情報を選択することで番組履歴情報や趣向情報を更新してユーザー専用の記憶領域に記憶する機能を備えた映像受信装置。
【請求項３】
請求項１記載の映像受信装置において、ユーザーを判別する着脱可能なユーザー識別情報を持つメモリを挿入することでユーザーを判別する機能を備えた映像受信装置。
【請求項４】
請求項１記載の映像受信装置において、画像認識、音声認識等のユーザー認識装置を備えた映像受信装置。
【請求項５】
請求項２記載の映像受信装置において、請求項３もしくは請求項４のいずれかの機能を備えた映像受信装置。
【発明の詳細な説明】
【技術分野】
【０００１】
本発明は、特に番組付加情報を蓄積し、ユーザーの視聴履歴情報や嗜好情報を基にユーザーにお勧めの番組を提供する番組推薦機能を搭載した映像受信装置に関するものである。
【背景技術】
【０００２】
従来の番組付加データを蓄積可能な映像受信装置においては、ユーザーの視聴した番組履歴や好んで視聴する傾向のある番組等の情報を基に、番組推薦処理を行い、お勧め番組の結果の表示や自動録画する等の機能を提供するシステムが実用している（例えば、特許文献１参照）。
【０００３】
図８は、前記特許文献１に記載された従来の映像受信装置を示すものである。図８において、ＶＨＦチューナー１０１は地上波アナログ放送を受信し、ＢＳデジタルチューナー１０２はＢＳデジタル放送を受信し、ＣＳデジタルチューナー１０３はＣＳデジタル放送を受信し、地上波デジタルチューナー１０４は地上波デジタル放送を受信する。
【０００４】
ＭＰＵ１０７は信号線ＰＯＮの信号レベルを監視し、図示しない電源スリットまたはリモコンの操作により電源ＯＮにされたことを判断し表示部１０６に表示すべき番組情報を選択するための指示を制御コマンドとして表示制御部１０５へ送出する。
【０００５】
また、ＭＰＵ１０７はＰＯＮの信号レベルがＯＦＦに変化した場合、電源ＯＦＦ（遮断）する前に、現在の表示制御部１０５を介して表示部１０６に表示されるチャンネルなどの状態や表示に必要なウィンドウ情報等をメモリ１０８に記憶しており、視聴者の視聴履歴を記憶部１０９に記憶する。
【０００６】
そして、ＭＰＵ１０７は、メモリ１０８より読み出した電源ＯＦＦ時直前の番組（チャンネル）と、記憶部１０９から読み出した視聴者の視聴履歴に基づいて、各チューナー（ＶＨＳチューナー１０１、ＢＳデジタルチューナー１０２、ＣＳデジタルチューナー１０３、地上波デジタルチューナー１０４）のチャンネルを制御する。
【０００７】
また、記憶部１０９は視聴者が現在視聴している視聴履歴を記憶する。その項目はニュース、スポーツ、映画、料理、天気予報、等々の詳細なジャンルに振り分け、時間帯や各ジャンルに対する視聴回数等である。
【０００８】
このように、毎回、毎日、毎週の視聴者の視聴履歴を累積することにより、ＭＰＵ１０７は視聴者の好みの番組を学習し、その都度学習結果を記憶部１０９に蓄積していた。
【特許文献１】特開２００３−００９０１６号公報
【発明の開示】
【発明が解決しようとする課題】
【０００９】
しかしながら、上記従来の構成では、電源を投入したときは視聴傾向にあるお勧めの番組について複数のチャンネルの映像を初期画面として視聴することができるが、その番組の情報について簡単操作で見ることができない、また番組趣向の違った複数人で視聴した場合、視聴履歴が必ずしも１人のユーザーの好みに適合しているとは限らない、また、これから先に放送されるお勧め番組の情報については入手できないという課題を有していた。
【００１０】
本発明は、上記事情に鑑みてなされたもので、電源を投入したときにユーザー個人の視聴傾向にある番組情報一覧を現在放送中の番組だけでなく推薦度の高いものを表示することで、より早いタイミングでユーザーに有益な情報を表示する映像受信装置を提供することを目的としている。
【課題を解決するための手段】
【００１１】
本発明の映像受信装置は、番組付加情報を蓄積可能な映像受信装置において、ユーザーが電源を投入するタイミングで予め登録したユーザーの誰なのかを確認しユーザーを判別する機能を備え、ユーザー毎の視聴履歴や好んで視聴する傾向のある番組やよく見る時間帯等の視聴情報を基に番組推薦処理を行いお勧め番組情報の一覧を提供する機能を備え、電源を投入したときにユーザー毎に視聴傾向にある番組推薦情報を表示する。本構成によって、各ユーザーの好みにあう視聴傾向にある番組についての有益な情報をいち早く提供することができることを最も主要な特徴とする。
【００１２】
また、本発明の映像受信装置によれば、ユーザーを判別し、電源をオフ時に電源を投入してから視聴した番組履歴の一覧を表示し、その中からユーザーが視聴した番組や趣向情報を選択することで番組履歴情報や趣向情報を更新してユーザー専用の記憶領域に記憶する機能を備え、複数人で見る場合に個人の視聴履歴や趣向情報の蓄積を確実に行うことができる。
【００１３】
また、本発明の映像受信装置によれば、ユーザーを判別する着脱可能なユーザー識別情報を記憶したユーザー認識用メモリを挿入することでユーザーを判別する機能を備え、リモコン操作などの操作を煩わすことなく簡単にユーザーの判別を行うことがきでき、複数人で見る場合に個人の視聴履歴や趣向情報の蓄積を確実に行うことができる。
【００１４】
また、本発明の映像受信装置によれば、画像認識、音声認識等のユーザー認識装置を備え、何も操作することなく自動でユーザー判別を行うことができ、複数人で見る場合に個人の視聴履歴や趣向情報の蓄積を確実に行うことができる。
【発明の効果】
【００１５】
本発明の映像受信装置によれば、各ユーザーの好みにあう視聴傾向にある先々の番組情報も含めた有益な情報をいち早く提供することができるというという利点がある。
【発明を実施するための最良の形態】
【００１６】
以下本発明を実施するための最良の形態について、図面を参照しながら説明する。
【００１７】
（実施の形態１）
図１は、本発明の実施の形態１における映像受信装置の説明図である。図１において、図８と同じ構成要素については同じ符号を用い、説明を省略する。
【００１８】
図１において、入力装置２０１はＰＯＷ−ＯＮ等のリモコン等の入力信号を発生させる装置であり、ユーザー確認制御部２０２は、入力したユーザーを特定するためにユーザーに予め登録したユーザー名を確認するための画面を表示制御部１０５に表示するように指令し入力装置２０１からの操作による画面を制御する。
【００１９】
図３は本発明の実施の形態１におけるユーザー確認表示画面を示す図である。ＰＯＷ−ＯＮ時に図３のように表示画面３０１にユーザー確認画面４０１は表示する。図１のユーザー情報入力制御部２０２はユーザー確認画面４０１に従って入力装置２０１から入力選択、または、登録したユーザー情報をメモリに記憶し、ユーザー判別部２０３はメモリに記憶したユーザー情報より既に登録済みのユーザー、もしくは新規ユーザーとして判別し、お勧め番組情報生成部２０４は、ユーザー情報入力制御部２０２で決定したユーザーにお勧めの情報とユーザー毎に用意する番組履歴情報や視聴傾向にある番組情報を記憶する記憶部（ユーザー１用記憶部２０５、ユーザー２用記憶部２０６、ユーザー３用記憶部２０７）から情報を抽出し蓄積した各放送チューナー（ＶＨＳチューナー１０１、ＢＳデジタルチューナー１０２、ＣＳデジタルチューナー１０３、地上放送デジタルチューナー１０４など）の番組付加データから現在放送中の番組に関わらず１時間後から１ヶ月先といったこれから放送される番組情報についてお勧め情報を生成し、そのお勧め情報を表示制御部１０５にお勧め番組情報の一覧を表示する。
【００２０】
図２は本発明の実施の形態１におけるお勧め番組情報一覧表示画面を示す図である。図１のお勧め番組情報生成部は、図２の表示画面３０１に表示するお勧め番組情報一覧３０２の表示に必要な情報を生成し、入力装置２０１からの入力されたリモコン等の操作によりユーザーはお勧め番組情報一覧３０２からお勧め番組の情報を選択し、より詳しい情報を入手し、また、その画面から視聴予約やこの映像受信表示装置に赤外線やデジタルケーブルで接続した録画機器や内蔵される録画機器等への録画予約制御を簡単な操作で行うことができる。
【００２１】
また、電源を投入したときに設定したユーザーから別のユーザーに視聴する人が交代する場合は、リモコン操作により図３に示すユーザー確認画面４０１を表示し、設定の変更を行うことで個人の視聴履歴を正確に蓄積できる。
【００２２】
かかる構成によれば、ユーザーが電源をＯＮするタイミングでユーザーを確認しユーザーを判別する機能を備え、ユーザー毎の視聴履歴や好んで視聴する傾向のある番組等の視聴情報を基に番組推薦処理を行いお勧め番組情報の一覧を提供する機能を備え、電源をＯＮしたときにユーザー毎に視聴傾向にある先の番組推薦情報も含めて表示する機能を備えることにより、ユーザーにいち早く視聴傾向にあるお勧め番組情報を提供し、簡単操作で視聴予約や機器に接続された録画機器の録画予約制御を行うことができる。
【００２３】
なお、本実施の形態において、搭載するチューナーはＶＨＦチューナー１０１、ＢＳデジタルチューナー１０２、ＣＳデジタルチューナー１０３、地上デジタルチューナー１０４の４種類としたが、チューナーの種類、個数については限定しなし。
【００２４】
なお、本実施の形態において、ユーザー用記憶部はユーザー１用記憶部２０５、ユーザー２記憶部２０６、ユーザー３記憶部２０７の３個としたが、個数は３個に限定されるものではなく何個でも設定可能とする。
【００２５】
（実施の形態２）
図４は、本発明の実施の形態２における映像受信装置の記憶制御フローチャートである。図４において、図１および図８と同じ構成要素については同じ符号を用い、説明を省略する。
【００２６】
図４において、Ｓ１は電源がオフされたかどうかを判断し、電源オン時には、Ｓ１０において現在視聴中の番組履歴情報を視聴中の番組が変わるタイミング等でメモリに蓄積する。電源オフ時にはＳ２において、メモリに記憶しているユーザー識別ＩＤを読み出し、Ｓ３において、ユーザー判別処理を行う。ユーザー判別処理において、図３で説明したユーザー確認表示画面等でユーザー操作によりユーザー名を選択することで予め登録したユーザーのＩＤと称号しユーザーを判別する。Ｓ４にて入力したユーザーＩＤとメモリに記憶していたユーザー識別ＩＤを比較し、一致していればＳ６でメモリに蓄積した番組履歴情報の中から電源オンした時間からの履歴情報を抽出し、Ｓ７で図１の表示部１０６にその一覧を表示する。そして、Ｓ８にて視聴した番組、好き嫌い等のユーザーの趣向情報を画面上に表示し、図１の入力装置２０１を操作することで入力して選択を行い、入力された番組趣向情報、視聴した番組の実績情報をＳ９において、ユーザー識別ＩＤとリンクしたユーザー記憶部１〜３に視聴履歴番組情報として記憶する。
【００２７】
かかる構成によれば、複数人での番組視聴を考慮に入れると必ずしも視聴履歴の番組がユーザーの視聴履歴に当てはまらないことがあるため、この処理により正確な視聴履歴を記憶し、より的確な番組推薦をすることができる。
【００２８】
なお、本実施の形態において、電源オフ時にユーザーの番組視聴履歴の蓄積情報を記憶するようにしたが、リモコンキー等を割り振ることで入力操作によりいつでもこのようなモードに入ることができることとしても良い。
【００２９】
（実施の形態３）
図５は、本発明の実施の形態３における映像受信装置のブロック図である。図５において、図１および図８と同じ構成要素については同じ符号を用い、説明を省略する。
【００３０】
図５において、ユーザー認識用メモリ５０１はＳＤカード、メモリスティック、コンパクトフラッシュ（登録商標）等の着脱可能なメモリでありユーザーの識別ＩＤを始めユーザーの好みの番組情報等を記憶したものである。
【００３１】
図６は、本発明の実施の形態３における映像受信装置のユーザー情報入力制御フローチャートである。図６において、ユーザー認識用メモリカード５０１の挿入時の制御を説明する。
【００３２】
図６は、Ｓ２１でメモリカードが挿入されているか判断し、挿入されているときのみ、Ｓ２２において、ユーザー認識メモリよりユーザー識別ＩＤを読み込む。次に、Ｓ２３において、そのユーザーＩＤが、１０７ＭＰＵ内のメモリ１０８に記憶している既に登録されている視聴履歴記憶用ユーザーＩＤと一致するかどうか判定を行う。既に登録されている場合は、Ｓ２６において、視聴履歴記憶用ユーザーＩＤに現在視聴中のユーザーとして設定される。Ｓ２３において、もし、ユーザー登録がない場合には、Ｓ２４において、新規ユーザーＩＤを唯一の新規ＩＤを作成し、Ｓ２５において、ユーザー認識用メモリ５０１に登録し、Ｓ２７において、挿入されている図５のユーザー認識用メモリ５０１においてもその新規ユーザーＩＤをユーザー識別ＩＤとして書き込む。
【００３３】
かかる構成によれば、挿入したユーザー認識用メモリ５０１により視聴中のユーザーを複雑な操作なしに特定することができ、ユーザー個々の視聴履歴を蓄積し、より精度の高い番組推薦を行うことができる。
【００３４】
（実施の形態４）
図７は、本発明の実施の形態４における映像受信装置のブロック図である。図７において、図１および図８と同じ構成要素については同じ符号を用い、説明を省略する。
【００３５】
図７において、ユーザー認識装置６０２は、音声認識や、画像認識、指紋認識等の個人を特定する装置を示す。ユーザー認識装置６０１を搭載して、音声認識や画像認識、指紋認識等により複雑な操作なしに番組を視聴しているユーザーを容易に判断することができる。
【００３６】
かかる構成によれば、ユーザー認識装置６０２を設けることで番組を視聴しているユーザーを複雑な操作なしし特定することができ、ユーザー毎に番組視聴履歴を蓄積することができるため、より正確な番組推薦を行うことができる。
【産業上の利用可能性】
【００３７】
本発明にかかる映像受信装置は、各ユーザーにあった視聴傾向にある先々の番組情報の有益な情報をいち早く提供することができるというという利点があり、特に番組付加情報を蓄積し、ユーザーの視聴履歴情報や嗜好情報を基にお勧めの番組を提供する番組推薦機能を搭載した映像受信装置等として有用である。
【図面の簡単な説明】
【００３８】
【図１】本発明の実施の形態１における映像受信装置のブロック図
【図２】本発明の実施の形態１におけるお勧め番組情報一覧表示画面を示す図
【図３】本発明の実施の形態１におけるユーザー確認表示画面を示す図
【図４】本発明の実施の形態２における映像受信装置の記憶制御フローチャート
【図５】本発明の実施の形態３における映像受信装置のブロック図
【図６】本発明の実施の形態３における映像受信装置ユーザー情報入力制御フローチャート
【図７】本発明の実施の形態４における映像受信装置のブロック図
【図８】従来の映像受信装置の説明図
【符号の説明】
【００３９】
１０１    ＶＨＦチューナー
１０２    ＢＳデジタルチューナー
１０３    ＣＳデジタルチューナー
１０４    地上波デジタルチューナー
１０５    グラフィック制御部
１０６    表示部
１０７    ＭＰＵ
１０８    メモリ
１０９    記憶部
２０１    入力装置
２０２    ユーザー情報入力制御部
２０３    ユーザー判別部
２０４    お勧め番組情報生成部
２０５    ユーザー１用記憶部
２０６    ユーザー２用記憶部
２０７    ユーザー３用記憶部
３０１    表示画面
３０２    お勧め番組情報一覧画面
４０１    ユーザー確認画面
５０１    ユーザー認識用メモリ
６０１    ユーザー認識装置
【図１】
2006041668.tif 000003
【図２】
2006041668.tif 000004
【図３】
2006041668.tif 000005
【図４】
2006041668.tif 000006
【図５】
2006041668.tif 000007
【図６】
2006041668.tif 000008
【図７】
2006041668.tif 000009
【図８】
2006041668.tif 000010